(57)【要約】      （修正有）【課題】清掃用具に関し、洗浄時に洗浄バケツに入れるのを便利にするために、モップ面積を小さくすることができ、洗浄、脱水過程でモップ底板とモップ柄との不規則な移動の発生を防止することができるフラットモップを提供する。【解決手段】フラットモップは、モップ柄１とモップ底板２とが自在継ぎ手を介して接続され、モップ底板に布が套設され、モップ柄に自在継ぎ手固定装置が設けられ、自在継ぎ手固定装置がモップ柄の末端の固定プッシュロッドに取り付けられ、固定プッシュロッドにＬ型シュートが設けられる。モップ底板が固定底板と可動底板とを備え、固定底板の幾何学的な中心が自在継ぎ手を介してモップ柄に接続され、固定底板の両端にそれぞれ可動底板がヒンジ連結され、固定底板の平面外形は非円形となっており、脱水器との接続に用いられる。【選択図】図１
0003184148.tif 000002
【実用新案登録請求の範囲】
【請求項１】
モップ柄、モップ底板、自在継ぎ手及び布を備え、前記モップ柄とモップ底板とが自在継ぎ手を介して接続され、前記モップ底板に布が套設されるフラットモップであって、
前記モップ柄に自在継ぎ手固定装置が設けられ、
前記自在継ぎ手固定装置がモップ柄の末端の固定プッシュロッドに取り付けられ、
前記固定プッシュロッドにＬ型シュートが設けられ、
前記自在継ぎ手固定装置は、可動ピンと可動プッシュロッドと固定ピンと固定ピン取付スリーブとを備え、
前記可動ピンがＬ型シュート内における固定ピン及び固定ピン取付スリーブを介して可動プッシュロッドに固定して接続され、
前記可動プッシュロッドが固定プッシュロッドの外に套設され、
前記モップ底板が固定底板と可動底板とを備え、
前記固定底板の幾何学的な中心が自在継ぎ手を介してモップ柄に接続され、
前記固定底板の両端にそれぞれ可動底板がヒンジ連結され、
前記固定底板の平面外形は、非円形となっており、脱水器との接続に用いられる
ことを特徴とするフラットモップ。
【請求項２】
前記固定プッシュロッド内に復帰ばねが設けられることを特徴とする請求項１に記載のフラットモップ。
【請求項３】
前記可動ピンが固定プッシュロッドの内部に設けられることを特徴とする請求項１又は２に記載のフラットモップ。
【請求項４】
前記可動ピンが固定プッシュロッドの外部に設けられることを特徴とする請求項１又は２に記載のフラットモップ。
【請求項５】
前記可動ピンが固定プッシュロッドの内部と外部に結合して配置されることを特徴とする請求項１に記載のフラットモップ。
【請求項６】
前記固定底板と可動底板との接続端の側面及び底面に係止溝が設けられ、可動底板には前記係止溝に対応するバンプが設けられることを特徴とする請求項１乃至５のいずれかに記載のフラットモップ。
【請求項７】
前記バンプがシュートの中に設けられ、シュートの底部にばねが設けられ、バンプがばねの作用でシュートに沿って移動可能であることを特徴とする請求項６に記載のフラットモップ。
【請求項８】
前記可動底板に布取付孔が設けられることを特徴とする請求項１乃至７のいずれかに記載のフラットモップ。
【考案の詳細な説明】
【技術分野】
【０００１】
本考案は清掃用具に関し、特にフラットモップに関する。
【背景技術】
【０００２】
モップは、家庭と仕事環境の清掃作業に不可欠な清掃用具である。通常、人々は、モップを手で洗浄するが、手での洗浄は、洗浄が容易でないだけでなく、不衛生で、不便でもある。現在、市場でさまざまなモップが売り出されている。それらの各種のモップは、フラットモップの洗浄や脱水に便利な構造に設計されたものを含むが、フラットモップの洗浄と脱水を十分解決できる優れた技術案は、これまでのところない。フラットモップは、洗浄面積が大きく、清掃効果がよいというメリットを有するが、従来のフラットモップは、面積が比較的大きいため、その自体の洗浄が不便であり、洗浄後の脱水も不便であり、フラットモップの普及に一定の障害となっている。
【考案の概要】
【考案が解決しようとする課題】
【０００３】
本考案が解決しようとする技術課題は、洗浄時に洗浄バケツに入れるのを便利にするために、モップ面積を小さくすることである。また、洗浄、脱水過程でモップ底板とモップ柄との不規則な移動の発生を防止することである。
【課題を解決するための手段】
【０００４】
前記課題を解決するために、本考案のフラットモップにおいては、洗浄時に洗浄バケツに入れるのを便利にするために、モップ面積を小さくする折り畳み可能なモップ底板を設けた。また、洗浄、脱水過程でモップ底板とモップ柄との不規則な移動の発生を防止するために、自在継ぎ手固定装置を設けた。
【０００５】
より具体的には、上記目的を達成するために、本考案は下記の技術を採用する。
フラットモップであって、モップ柄、モップ底板、自在継ぎ手及び布を備え、前記モップ柄とモップ底板とが自在継ぎ手を介して接続され、前記モップ底板に布が套設され、前記モップ柄に自在継ぎ手固定装置が設けられ、前記自在継ぎ手固定装置がモップ柄の末端の固定プッシュロッドに取り付けられ、前記固定プッシュロッドにＬ型シュートが設けられ、前記自在継ぎ手固定装置は可動ピン、可動プッシュロッド、固定ピン及び固定ピン取付スリーブを備え、前記可動ピンがＬ型シュート内における固定ピン及び固定ピン取付スリーブを介して可動プッシュロッドに固定して接続され、前記可動プッシュロッドが固定プッシュロッドの外に套設され、前記モップ底板が固定底板と可動底板とを備え、前記固定底板の幾何学的中心が自在継ぎ手を介してモップ柄に接続され、前記固定底板の両端にそれぞれ可動底板がヒンジ連結され、前記固定底板の平面外形は、非円形となっており、脱水器との接続に用いられる。
【０００６】
さらに、前記固定プッシュロッド内に復帰ばねが設けられる。
【０００７】
さらに、前記可動ピンが固定プッシュロッドの内部に設けられる。
【０００８】
さらに、前記可動ピンが固定プッシュロッドの外部に設けられる。
【０００９】
さらに、前記可動ピンが固定プッシュロッドの内部と外部に結合して配置される。
【００１０】
さらに、前記固定底板と可動底板との接続端の側面及び底面に係止溝が設けられ、可動底板には前記係止溝に対応するバンプが設けられる。
【００１１】
さらに、前記バンプがシュートの中に設けられ、シュートの底部にばねが設けられ、バンプがばねの作用でシュートに沿って移動可能である。
【００１２】
さらに、前記可動底板に布取付孔が設けられる。
【考案の効果】
【００１３】
本考案の有益な効果は、自在継ぎ手固定装置を設けて、洗浄及び脱水の過程で自在継ぎ手を固定したことである。また、復帰ばねを設けて、自在継ぎ手の固定を便利に解放できるようにしたことである。また、係止溝を設けていることによって、異なる方位で可動底板を固定できるようにしたことである。これらにより、作動及び洗浄が便利になり、固定底板の外形が脱水器に対応するので、洗浄脱水に便利になり、その結果、手が布に接触することなくモップの洗浄、脱水のいずれをも実現することができ、衛生であるとともに便利である。
【図面の簡単な説明】
【００１４】
以下、図面及び実施例を参照して本考案をさらに詳しく説明する。
【図１】図１は、本考案に係るフラットモップの模式図である。
【図２】図２は、本考案に係る自在継ぎ手固定装置の模式図である。
【図３】図３は、本考案に係る固定プッシュロッドの模式図である。
【図４】図４は、本考案に係るモップ底板の模式図である。
【図５】図５は、本考案に係る可動底板の模式図である。
【図６】図６は、本考案に係るフラットモップの可動ピンが固定プッシュロッドの外部に設けられる構成模式図である。
【考案を実施するための形態】
【００１５】
以下、図面を参照して、実施の形態によって本考案をさらに説明する。
【００１６】
図１〜６に示すように、本実施例において、本考案に係るフラットモップは、モップ柄１、モップ底板２、自在継ぎ手及び布を備え、前記モップ柄１とモップ底板２とが自在継ぎ手を介して接続され、前記モップ底板２に布が套設され（覆うように設置され）、前記モップ柄１に自在継ぎ手固定装置が設けられ、前記自在継ぎ手固定装置がモップ柄１の末端の固定プッシュロッド３に取り付けられ、前記固定プッシュロッド３にＬ型シュート４が設けられ、前記自在継ぎ手固定装置は可動ピン５、可動プッシュロッド６、固定ピン７及び固定ピン取付スリーブ８を含む。
【００１７】
前記可動ピン５はＬ型シュート４内における固定ピン７及び固定ピン取付スリーブ８を介して可動プッシュロッド６に固定して接続され、前記可動プッシュロッド６が固定プッシュロッド３の外に套設されている。
【００１８】
前記モップ底板２は、固定底板１０と可動底板１１とを備え、前記固定底板１０の幾何学的な中心が自在継ぎ手を介してモップ柄に接続され、前記固定底板１０の両端にそれぞれ可動底板１１がヒンジ連結されている。前記固定底板１０の平面外形は非円形となっており、脱水器に対応する形状となっており、脱水器との接続に用いられる。また、前記固定プッシュロッド３内に復帰ばね９が設けられいる。
【００１９】
前記可動ピン５は固定プッシュロッド３の内部に設けられてもよく、固定プッシュロッド３の外部に設けられてもよい。前記可動ピン５はさらに固定プッシュロッド３の内部、外部に結合して配置されてもよい。前記固定底板１０と可動底板１１の接続端の側面と底面に係止溝１２が設けられ、可動底板１１には前記係止溝１２に対応するバンプ１３が設けられおり、前記バンプ１３はシュート１４に設けられおり、シュート１４の底部にばね１５が設けられており、バンプ１３がばね１５の作用でシュート１４に沿って移動可能であり、前記可動底板１１に布取付孔１６が設けられている。
【００２０】
本モップは、床を拭く時は、自在継ぎ手が可動状態であり、様々な角度にて便利に回転可能である。モップを洗浄、脱水する過程では、まず可動底板１１を引っ張って可動底板１１のバンプ１３を固定底板１０の側面における係止溝１２から離脱させて固定底板１０の底部における係止溝１２に係止させる。また、固定底板１０と脱水器とを接続させ、モップ柄１の軸方向に沿って可動プッシュロッド６を押し、可動プッシュロッド６が可動ピン５を連動させてＬ型シュート４に沿って下の方向へ移動させ、Ｌ型シュート４の底部に移動した時、可動プッシュロッド６を回転させて、それを係止させる。この時、可動ピン５は固定底板１０のそれに対応する固定孔を突き抜けて自在継ぎ手を固定させ、モップ柄１とモップ底板2とが相対的に移動することないようにする。そして、モップ底板２と脱水器との同時回転によって布の洗浄及び脱水を実現する。洗浄、脱水終了後、可動底板１１を引っ張ってそれを広げさせ、継続使用可能である。
【符号の説明】
【００２１】
１…モップ柄、２…モップ底板、３…固定プッシュロッド、４…Ｌ型シュート、５…可動ピン、６…可動プッシュロッド、７…固定ピン、８…固定ピン取付スリーブ、９…復帰ばね、１０…固定底板、１１…可動底板、１２…係止溝、１３…バンプ、１４…シュート、１５…ばね、１６…布取付孔
【図１】
0003184148.tif 000003
【図２】
0003184148.tif 000004
【図３】
0003184148.tif 000005
【図４】
0003184148.tif 000006
【図５】
0003184148.tif 000007
【図６】
0003184148.tif 000008